(57)【要約】【課題】使用態様の幅を広げることを可能として、利便性の向上に貢献することができる美容装置を提供する。【解決手段】把持するためのグリップ部１１に対し、該グリップ部１１の軸直交線と平行な回転軸Ｌ２を持つ第１回転研磨体１２ａを有する第１角質除去ヘッド１２と、グリップ部１１の軸線Ｌ１と平行な回転軸Ｌ３を持つ第２回転研磨体１３ａを有する第２角質除去ヘッド１３とを択一的に着脱自在に備える。【選択図】図４
2011004970.tif 000002
【特許請求の範囲】
【請求項１】
把持するためのグリップ部に対し、該グリップ部の軸直交線と平行な回転軸を持つ第１回転研磨体を有する第１角質除去手段と、前記グリップ部の軸線と平行な回転軸を持つ第２回転研磨体を有する第２角質除去手段とを択一的に着脱自在に備える、若しくは前記第１及び第２角質除去手段をそれぞれ備えることを特徴とする美容装置。
【請求項２】
請求項１に記載の美容装置において、
前記第１及び第２角質除去手段は、それぞれモジュール化された第１及び第２角質除去ヘッドであり、該第１及び第２角質除去ヘッドはそれぞれ前記グリップ部に対して着脱自在に構成されたことを特徴とする美容装置。
【請求項３】
請求項１又は２に記載の美容装置において、
前記第１回転研磨体は、正面視で前記グリップ部の軸線と重なる位置に配置されるとともに、回転軸方向の両端部でそれぞれ支持されたことを特徴とする美容装置。
【請求項４】
請求項１〜３のいずれか１項に記載の美容装置において、
前記第１及び第２角質除去手段は、前記グリップ部の軸線方向端部に設けられることを特徴とする美容装置。
【請求項５】
請求項４に記載の美容装置において、
前記第２回転研磨体は、その軸方向基端側で支持されて軸方向先端側が開放されていることを特徴とする美容装置。
【請求項６】
請求項５に記載の美容装置において、
前記第２回転研磨体は、軸方向先端部にかけて縮径する形状を有することを特徴とする美容装置。
【請求項７】
請求項１〜６のいずれか１項に記載の美容装置において、
前記第１及び第２回転研磨体は、前記グリップ部内に設けられた同一の駆動源の動力に基づいて回転駆動されるように構成されたことを特徴とする美容装置。
【発明の詳細な説明】
【技術分野】
【０００１】
本発明は、美容装置に関するものである。
【背景技術】
【０００２】
従来、肌の角質を除去するための美容装置は、例えば特許文献１に示すように、回転駆動される回転研磨体を有するヘッド部と、該ヘッド部に一体に形成したグリップ部とを備えている。回転研磨体は、その回転軸がグリップ部の軸直交線と平行をなしており、回転駆動される回転研磨体を肌に押し当てることで角質が除去されるようになっている。
【先行技術文献】
【特許文献】
【０００３】
【特許文献１】特開平４−３０８１８号公報
【発明の概要】
【発明が解決しようとする課題】
【０００４】
しかしながら、上記のような美容装置では、回転研磨体の軸方向が１つに決まっているため、その使用態様がある程度限定されてしまい、この点においてなお改善の余地があった。
【０００５】
本発明は、上記課題を解決するためになされたものであって、その目的は、使用態様の幅を広げることを可能として、利便性の向上に貢献することができる美容装置を提供することにある。
【課題を解決するための手段】
【０００６】
上記課題を解決するために、請求項１に記載の発明は、把持するためのグリップ部に対し、該グリップ部の軸直交線と平行な回転軸を持つ第１回転研磨体を有する第１角質除去手段と、前記グリップ部の軸線と平行な回転軸を持つ第２回転研磨体を有する第２角質除去手段とを択一的に着脱自在に備える、若しくは前記第１及び第２角質除去手段をそれぞれ備えることを特徴とする。
【０００７】
この発明では、第１角質除去手段の第１回転研磨体と、第２角質除去手段の第２回転研磨体とを、例えば使用部位に応じて使い分けることが可能となるため、美容装置の使用態様の幅を広げることが可能となり、利便性の向上に貢献することができる。
【０００８】
請求項２に記載の発明は、請求項１に記載の美容装置において、前記第１及び第２角質除去手段は、それぞれモジュール化された第１及び第２角質除去ヘッドであり、該第１及び第２角質除去ヘッドはそれぞれ前記グリップ部に対して着脱自在に構成されたことを特徴とする。
【０００９】
この発明では、第１及び第２角質除去手段がそれぞれモジュール化されるため、それらの交換（着脱）が容易となる。
請求項３に記載の発明は、請求項１又は２に記載の美容装置において、前記第１回転研磨体は、正面視で前記グリップ部の軸線と重なる位置に配置されるとともに、回転軸方向の両端部でそれぞれ支持されたことを特徴とする。
【００１０】
この発明では、第１回転研磨体を使用しやすく、且つ安定して保持可能な構成とすることができる。
請求項４に記載の発明は、請求項１〜３のいずれか１項に記載の美容装置において、前記第１及び第２角質除去手段は、前記グリップ部の軸線方向端部に設けられることを特徴とする。
【００１１】
この発明では、第１及び第２角質除去手段がグリップ部の軸線方向端部に設けられるため、第１及び第２回転研磨体を使用部位に当てやすくすることが可能となり、利便性をより向上させることが可能となる。
【００１２】
請求項５に記載の発明は、請求項４に記載の美容装置において、前記第２回転研磨体は、その軸方向基端側で支持されて軸方向先端側が開放されていることを特徴とする。
この発明では、第２回転研磨体の外周面全体での角質の除去が可能となり、美容装置の使用態様の幅をより広げることが可能となる。
【００１３】
請求項６に記載の発明は、請求項５に記載の美容装置において、前記第２回転研磨体は、軸方向先端部にかけて縮径する形状を有することを特徴とする。
この発明では、第２回転研磨体を例えば足指間の角質を除去するのに適した形状とすることができ、それにより、美容装置の使用態様の幅をより広げることが可能となる。
【００１４】
請求項７に記載の発明は、請求項１〜６のいずれか１項に記載の美容装置において、前記第１及び第２回転研磨体は、前記グリップ部内に設けられた同一の駆動源の動力に基づいて回転駆動されるように構成されたことを特徴とする。
【００１５】
この発明では、第１及び第２回転研磨体でそれぞれ別の駆動源を設けなくて済むため、部品点数の増加及び美容装置の大型化を抑制することが可能となる。
【発明の効果】
【００１６】
従って、上記記載の発明によれば、使用態様の幅を広げることを可能として、美容装置の利便性の向上に貢献することができる。
【図面の簡単な説明】
【００１７】
【図１】（ａ）第１実施形態における第１角質除去ヘッドを装着した状態の美容装置の正面図、（ｂ）同美容装置の側面図。
【図２】第１実施形態における第１角質除去ヘッドを装着した状態の美容装置の断面図。
【図３】第１実施形態における第１角質除去ヘッドを装着した状態の美容装置の断面図。
【図４】グリップ部、第１角質除去ヘッド及び第２角質除去ヘッドの正面図。
【図５】第１実施形態における第２角質除去ヘッドを装着した状態の美容装置の正面図。
【図６】第１実施形態における第２角質除去ヘッドを装着した状態の美容装置の断面図。
【図７】第２実施形態の美容装置の正面図。
【図８】第２実施形態の美容装置の断面図。
【発明を実施するための形態】
【００１８】
（第１実施形態）
以下、本発明を具体化した第１実施形態を図面に従って説明する。
図１（ａ）（ｂ）には、使用者が把持できるグリップ部１１の上部に、第１角質除去ヘッド１２を装着した美容装置１を示している。第１角質除去ヘッド１２は、グリップ部１１の軸直交線と平行な回転軸Ｌ２を有する第１回転研磨体１２ａを有し、回転駆動される第１回転研磨体１２ａを肌に押し付けることで角質が除去されるようになっている。本実施形態の美容装置１では、第１角質除去ヘッド１２を後述する第２角質除去ヘッド１３（図４及び図５参照）と交換可能であり、使用部位に応じていずれかを選択することが可能となっている。
【００１９】
以下に、美容装置１の構造の詳細を説明する。
図１〜図３に示すように、グリップ部１１は、そのハウジング２１内に駆動源であるモータ２２と充電池２３とを備えている。また、ハウジング２１には、モータ２２を駆動するための電源スイッチ２４と、第１角質除去ヘッド１２又は第２角質除去ヘッド１３をグリップ部１１から外すためのリリース釦２５とが設けられている。尚、グリップ部１１のハウジング２１は防水構造に構成されており、内部への水等の浸入が抑制されるようになっている。
【００２０】
モータ２２の出力軸２２ａには、六角形状の嵌合凸部２６ａを有する出力部材２６が固定されており、この出力部材２６の嵌合凸部２６ａは、ハウジング２１の上面板２１ａからハウジング２１の外部に突出するように構成されている。
【００２１】
グリップ部１１の上部（軸方向端部）には、第１角質除去ヘッド１２又は第２角質除去ヘッド１３が着脱自在に取り付けられるヘッド取付部２７が形成されている（図４参照）。ヘッド取付部２７は、前記上面板２１ａと側部２７ａとで構成されて窪んだ形状をなしており、該ヘッド取付部２７には、第１角質除去ヘッド１２又は第２角質除去ヘッド１３の基端部が嵌め込まれて装着されるようになっている。
【００２２】
第１角質除去ヘッド１２は、ヘッドハウジング３１と、そのヘッドハウジング３１内に設けられた減速部３２と、ヘッドハウジング３１の上部（先端部）に回転可能に設けられた円筒状の第１回転研磨体１２ａとを有している。
【００２３】
減速部３２は、図３に示すように、第１〜第５のギヤ３２ａ〜３２ｅから構成されている。第１のギヤ３２ａは、ヘッドハウジング３１の基端部から美容装置１（グリップ部１１）の軸線Ｌ１方向に突出するカプリング部３３を有し、このカプリング部３３には、前記出力部材２６の嵌合凸部２６ａに対応する六角形状の嵌合凹部３３ａが形成されている。第１角質除去ヘッド１２の装着状態において、カプリング部３３の嵌合凹部３３ａには出力部材２６の嵌合凸部２６ａが嵌合されて、モータ２２の回転が第１のギヤ３２ａに伝達されるようになっている。つまり、第１角質除去ヘッド１２において、第１のギヤ３２ａが動力の入力端となっている。そして、第１のギヤ３２ａの回転は、第２のギヤ３２ｂ、第３のギヤ３２ｃ、第４のギヤ３２ｄ及び第５のギヤ３２ｅにより適宜減速されて、最終的に第１回転研磨体１２ａに伝達される。
【００２４】
第１回転研磨体１２ａは、その回転軸Ｌ２方向の両端部がヘッドハウジング３１にそれぞれ回転可能に支持されている。第１回転研磨体１２ａは、その回転軸Ｌ２がグリップ部１１の軸線Ｌ１と直交する直線（軸直交線）と平行をなしており、モータ２２の駆動によって図３における反時計回りに回転するようになっている。第１回転研磨体１２ａは外周面に砥粒を有してなり、回転駆動される第１回転研磨体１２ａと肌との摩擦で角質が除去されるようになっている。また、第１回転研磨体１２ａは、正面視でグリップ部１１の軸線Ｌ１と重なる位置（本実施形態では、正面視でグリップ部１１の軸線Ｌ１に対して線対称となる位置）に配置されている。このような第１回転研磨体１２ａは、足裏面や足側面等の角質を除去するのに適している。
【００２５】
尚、第１回転研磨体１２ａは、ヘッドハウジング３１の上面側及び正面側で露出されており、上面側だけでなく正面側でも角質を除去することが可能となっている。第１回転研磨体１２ａの正面側の露出部分にて角質を除去する場合、グリップ部１１が角質を除去する肌面に対して傾いた状態で使用されるため、グリップ部１１を把持する使用者が第１回転研磨体１２ａと肌との摩擦力を受け止めやすくなり、安定した角質の除去が可能となっている。また、第１回転研磨体１２ａの回転軸Ｌ２は、グリップ部１１の軸線Ｌ１よりも正面側に位置しており、グリップ部１１を把持した状態で第１回転研磨体１２ａの正面側を使用部位に当てやすくすることが可能となっている。
【００２６】
図４に示すように、第１角質除去ヘッド１２の基端部には、一対のフック３４が突出形成されている。一方、グリップ部１１は、リリース釦２５と一体に動作する係止部（図示略）を有している。そして、第１角質除去ヘッド１２の装着状態において、この係止部は第１角質除去ヘッド１２の各フック３４と係止しており、第１角質除去ヘッド１２がヘッド取付部２７から脱落しないようになっている。また、リリース釦２５が押されると、前記係止部が該リリース釦２５とともにスライドしてフック３４との係止状態が解除され、第１角質除去ヘッド１２がグリップ部１１から取り外し可能となる。尚、第１角質除去ヘッド１２はモジュール化、即ちヘッドハウジング３１に減速部３２と第１回転研磨体１２ａとが設けられて１つのユニットとして構成されているため、グリップ部１１に対して容易に着脱することが可能となっている。
【００２７】
次に、上記のような第１角質除去ヘッド１２に替えて取り付け可能な第２角質除去ヘッド１３について図４〜図６に従って説明する。
第２角質除去ヘッド１３は、前記第１角質除去ヘッド１２と同様に、基端部がグリップ部１１のヘッド取付部２７に着脱可能となっており、第２角質除去ヘッド１３の基端部は、第１角質除去ヘッド１２の基端部と同形状、同構成となっている。
【００２８】
第２角質除去ヘッド１３は、ヘッドハウジング４１と、そのヘッドハウジング４１内に設けられた減速部４２と、グリップ部１１の軸線Ｌ１方向に突出する第２回転研磨体１３ａとを有している。
【００２９】
図６に示すように、第２角質除去ヘッド１３の減速部４２は、第１及び第２のギヤ４２ａ，４２ｂから構成されている。第１のギヤ４２ａは、前記第１角質除去ヘッド１２のカプリング部３３と同形状のカプリング部４４を有し、該カプリング部４４はヘッドハウジング４１の基端部から軸線Ｌ１方向に突出している。そして、第２角質除去ヘッド１３の基端部をグリップ部１１のヘッド取付部２７に装着することにより、カプリング部４４の嵌合凹部４４ａに出力部材２６の嵌合凸部２６ａが嵌合されて、モータ２２の回転が第１のギヤ４２ａに伝達されるようになっている。つまり、第２角質除去ヘッド１３において、第１のギヤ４２ａが動力の入力端となっている。そして、第１のギヤ４２ａの回転は、第２のギヤ４２ｂとの間で減速され、第２のギヤ４２ｂと第２回転研磨体１３ａとを連結する連結軸４２ｃを介して第２回転研磨体１３ａに伝達される。
【００３０】
第２回転研磨体１３ａは、その回転軸Ｌ３がグリップ部１１の軸線Ｌ１と平行をなし、その軸方向基端部側のみで支持され、軸方向先端部側は開放されている。詳述すると、第２回転研磨体１３ａは、ヘッドハウジング４１の円筒部４１ａに挿通された挿通部４３ａと、円筒部４１ａから軸線Ｌ１方向に突出する研磨部４３ｂとを有し、円筒部４１ａに回転可能に支持されている。第２回転研磨体１３ａは、先端部にかけて縮径する形状（先細り形状）をなし、外周面に砥粒を有している。そして、第２回転研磨体１３ａは、モータ２２の駆動に基づいて回転駆動され、研磨部４３ｂと肌との摩擦で角質が除去されるようになっている。尚、このような第２回転研磨体１３ａは、足指間等の角質を除去するのに適している。
【００３１】
第２角質除去ヘッド１３の基端部には、第１角質除去ヘッド１２のものと同形状の一対のフック４５が形成されており、第１角質除去ヘッド１２のフック３４と同様の役割をなす。即ち、各フック４５は、第２角質除去ヘッド１３の装着状態において前記グリップ部１１の係止部に係止されて、第２角質除去ヘッド１３がヘッド取付部２７から脱落しないようになっている。また、リリース釦２５が押されると、前記係止部が該リリース釦２５とともにスライドして各フック４５との係止状態が解除され、第２角質除去ヘッド１３がグリップ部１１から取り外し可能となる。また、第２角質除去ヘッド１３は、上記第１角質除去ヘッド１２と同様にモジュール化されているため、グリップ部１１に対して容易に着脱することが可能となっている。
【００３２】
以上のような美容装置１では、足裏面や足側面等の角質を除去する場合には、ヘッド取付部２７に第１角質除去ヘッド１２を装着して使用し、足指間等の角質を除去する場合には、第１角質除去ヘッド１２を第２角質除去ヘッド１３に交換して使用するといった使い方が可能となる。これにより、美容装置１の使用態様の幅が広がり、利便性の向上に貢献することができるようになっている。
【００３３】
次に、本実施形態の特徴的な作用効果を記載する。
（１）本実施形態では、把持するためのグリップ部１１に対し、該グリップ部１１の軸直交線と平行な回転軸Ｌ２を持つ第１回転研磨体１２ａを有する第１角質除去ヘッド１２と、グリップ部１１の軸線Ｌ１と平行な回転軸Ｌ３を持つ第２回転研磨体１３ａを有する第２角質除去ヘッド１３とを択一的に着脱自在に備える。これにより、第１角質除去ヘッド１２の第１回転研磨体１２ａと、第２角質除去手段の第２回転研磨体１３ａとを、例えば使用部位に応じて使い分けることが可能となるため、美容装置１の使用態様の幅を広げることが可能となり、利便性の向上に貢献することができる。
【００３４】
（２）本実施形態では、第１及び第２角質除去手段は、それぞれモジュール化された第１及び第２角質除去ヘッド１２，１３であり、該第１及び第２角質除去ヘッド１２，１３はそれぞれグリップ部１１に対して着脱自在に構成されるため、それらの交換（着脱）が容易となる。
【００３５】
（３）本実施形態では、第１回転研磨体１２ａは、正面視でグリップ部１１の軸線Ｌ１と重なる位置に配置されるとともに、回転軸Ｌ２方向の両端部でそれぞれ支持される。このため、第１回転研磨体１２ａを使用しやすく、且つ安定して保持可能な構成とすることができる。
【００３６】
（４）本実施形態では、第１及び第２角質除去ヘッド１２，１３がグリップ部１１の軸線Ｌ１方向端部に設けられるため、第１及び第２回転研磨体１２ａ，１３ａを使用部位に当てやすくすることが可能となり、利便性をより向上させることが可能となる。
【００３７】
（５）本実施形態では、第２回転研磨体１３ａは、その軸方向基端側で支持されて軸方向先端側が開放されているため、第２回転研磨体１３ａの外周面全体での角質の除去が可能となり、美容装置１の使用態様の幅をより広げることが可能となる。
【００３８】
（６）本実施形態では、第２回転研磨体１３ａは、軸方向先端部にかけて縮径する形状を有するため、例えば足指間の角質を除去するのに適した形状とすることができ、それにより、美容装置１の使用態様の幅をより広げることが可能となる。
【００３９】
（７）本実施形態では、各回転研磨体１２ａ，１３ａは、グリップ部１１内に設けられた同一のモータ２２の動力に基づいて回転駆動されるように構成される。これにより、第１及び第２回転研磨体１２ａ，１３ａでそれぞれ別々のモータを設けなくて済むため、部品点数の増加及び美容装置１の大型化を抑制することが可能となる。
【００４０】
（８）本実施形態では、第１回転研磨体１２ａは、上面側及び正面側で露出するように構成される。これにより、第１回転研磨体１２ａの上面側だけでなく正面側も使用可能となるため、第１回転研磨体１２ａを使用部位に当てやすくすることが可能となる。
【００４１】
（９）本実施形態では、第１回転研磨体１２ａの回転軸Ｌ２がグリップ部１１の軸線Ｌ１よりも正面側に位置するため、グリップ部１１を把持した状態で第１回転研磨体１２ａの正面側を使用部位に当てやすくすることが可能となる。
【００４２】
（第２実施形態）
以下、本発明を具体化した第２実施形態を図面に従って説明する。
本実施形態の美容装置５０では、グリップ部５１に第１角質除去ヘッド１２と第２角質除去ヘッド１３とがそれぞれ組み付けられている。尚、本実施形態において、前記第１実施形態のものと同様の構成のものは、前記第１実施形態と同一の符号を付してその詳細な説明を省略する。
【００４３】
図７及び図８に示すように、グリップ部５１のハウジング６１の軸線Ｌ１方向両端部には、第１及び第２角質除去ヘッド１２，１３をそれぞれ取り付けるための第１及び第２ヘッド取付部６２，６３がそれぞれ形成されている。各ヘッド取付部６２，６３は、底部６２ａ，６３ａと側部６２ｂ，６３ｂとからなり、軸線Ｌ１方向中央に向かって窪んだ形状をなしている。尚、本実施形態の各ヘッド取付部６２，６３の構成は、前記第１実施形態のヘッド取付部２７の構成と略同様となっている。
【００４４】
ハウジング６１内には、駆動源であるモータ６４と充電池２３とが設けられている。また、グリップ部５１には、モータ６４を駆動するための電源スイッチ２４と、第１及び第２角質除去ヘッド１２，１３を各ヘッド取付部６２，６３から外すための各リリース釦２５とが設けられている。尚、グリップ部５１のハウジング６１は防水構造に構成されており、内部への水等の浸入が抑制されるようになっている。
【００４５】
モータ６４は、出力軸６４ａの両端部がモータハウジング６４ｂからそれぞれ突出する構成（２つの出力が可能なタイプ）のものである。モータ６４の出力軸６４ａの両端部はそれぞれ第１及び第２ヘッド取付部６２，６３まで延びるとともに、該両端部にはそれぞれ出力部材２６（前記第１実施形態のものと同様の部材）が固定されている。各出力部材２６の嵌合凸部２６ａは、各ヘッド取付部６２，６３の底部６２ａ，６３ａからハウジング６１の外部に突出するように構成されている。
【００４６】
また、各リリース釦２５は、該リリース釦２５とそれぞれ一体に動作する係止部（上記第１実施形態と同様）を有している。各角質除去ヘッド１２，１３の装着状態において、この係止部は第１及び第２角質除去ヘッド１２，１３の各フック３４，４５に係止されている。そして、各リリース釦２５が押されると、前記係止部とフック３４，４５との係止状態が解除され、各角質除去ヘッド１２，１３がグリップ部５１から取り外し可能となる。
【００４７】
第１角質除去ヘッド１２における第１のギヤ３２ａの嵌合凹部３３ａには、第１ヘッド取付部６２側の出力部材２６の嵌合凸部２６ａが嵌合され、第２角質除去ヘッド１３における第１のギヤ４２ａの嵌合凹部４４ａには、第２ヘッド取付部６３側の出力部材２６の嵌合凸部２６ａが嵌合されている。これにより、モータ６４の出力軸６４ａの回転は、各角質除去ヘッド１２，１３の第１のギヤ３２ａ，４２ａに伝達され、最終的に各角質除去ヘッド１２，１３の各回転研磨体１２ａ，１３ａに伝達されて、その各回転研磨体１２ａ，１３ａが回転するようになっている。また、第１回転研磨体１２ａの回転軸Ｌ２は、グリップ部５１の軸線Ｌ１と直交する直線（軸直交線）と平行をなし、第２回転研磨体１３ａの回転軸Ｌ３は、グリップ部５１の軸線Ｌ１と平行をなしている。
【００４８】
このような美容装置５０では、足裏面や足側面等の角質を除去する場合には第１回転研磨体１２ａを使用し、足指間等の角質を除去する場合には第２回転研磨体１３ａを使用するといった使い方が可能となる。これにより、美容装置５０の使用態様の幅が広がり、利便性の向上に貢献することができるようになっている。
【００４９】
本実施形態の美容装置５０は、グリップ部５１に第１及び第２角質除去ヘッド１２，１３を両方備える点で前記第１実施形態とは異なっているが、第１実施形態で記載したものと略同様の作用効果を有している。
【００５０】
尚、本発明の実施形態は、以下のように変更してもよい。
・上記第２実施形態では、第１及び第２角質除去ヘッド１２，１３をそれぞれモジュール化してグリップ部５１と別体で構成したが、これ以外に例えば、グリップ部５１のハウジング６１と各角質除去ヘッド１２，１３のヘッドハウジング３１，４１とを一体として、グリップ部５１と第１及び第２角質除去ヘッド１２，１３とを一体に構成してもよい。
【００５１】
・上記第２実施形態において、出力軸６４ａにクラッチ等を設けて、第１及び第２回転研磨体１２ａ，１３ａのいずれか一方が駆動しているときには、いずれか他方が回転しないように構成してもよい。
【００５２】
・上記各実施形態では、第１及び第２回転研磨体１２ａ，１３ａをそれぞれ１つずつで構成したが、これに特に限定されるものではなく、構成に応じて適宜変更してもよい。
【符号の説明】
【００５３】
１，５０…美容装置、１１，５１…グリップ部、１２…第１角質除去手段としての角質除去ヘッド、１２ａ…第１回転研磨体、１３…第２角質除去手段としての第２角質除去ヘッド、１３ａ…第２回転研磨体、２２，６４…駆動源としてのモータ、Ｌ１…グリップ部の軸線、Ｌ２…第１回転研磨体の回転軸、Ｌ３…第２回転研磨体の回転軸。
【図１】
2011004970.tif 000003
【図２】
2011004970.tif 000004
【図３】
2011004970.tif 000005
【図４】
2011004970.tif 000006
【図５】
2011004970.tif 000007
【図６】
2011004970.tif 000008
【図７】
2011004970.tif 000009
【図８】
2011004970.tif 000010